(57)【要約】【課題】動的なＵＬ−ＤＬ再構成を遂行するためのより進歩した解決策を提供する。【解決手段】ＵＥに適用するべきＵＬ−ＤＬ構成を指定する情報をＵＥに与える方法。この情報は、（ａ）新たなＵＬ−ＤＬ構成のためのＵＬ−ＤＬ構成シグナリングを実行するべきシグナリング時間、及び（ｂ）新たなＵＬ−ＤＬ構成を適用すべき適用時間、を表す。この方法は、ＵＬ−ＤＬ構成情報の、より信頼性のある受信を与えることにより、ＵＬ−ＤＬ構成シグナリングを補足する。この指示は、従来の構成に比して小さなシグナリングオーバーヘッドで且つＵＥ側及びｅＮＢ側の両方において適度な複雑さで遂行される。【選択図】図３
2018121370.tif 000002
【特許請求の範囲】
【請求項１】
（ａ）新たなアップリンク−ダウンリンク構成のためのアップリンク−ダウンリンク構成シグナリングを実行すべきシグナリング時間、及び（ｂ）新たなアップリンク−ダウンリンク構成を適用すべき適用時間、を表す情報を発生し；及び
その発生された情報をユーザ装置へ供給し、その発生された情報は、ユーザ装置に適用されるべき新たなアップリンク−ダウンリンク構成を指定するものである；
ことを含む方法。
【請求項２】
アップリンク−ダウンリンク構成持続性ウインドウの出発点を表す第１のパラメータを使用して前記シグナリング時間を指定し、及び前記アップリンク−ダウンリンク構成持続性ウインドウの期間を表す第２のパラメータを使用して前記適用時間を指定する、ことを更に含む請求項１に記載の方法。
【請求項３】
前記発生された情報は、無線フレーム周期性又は無線サブフレーム周期性を表す第１のパラメータと、サブフレームオフセットを表す第２のパラメータとを含み、前記サブフレームオフセットは、新たなアップリンク−ダウンリンク構成を示すために共通の物理的シグナリングが使用されるところのフレーム又はサブフレームに関して指定される、請求項１又は２に記載の方法。
【請求項４】
前記発生された情報は、アップリンクを指定する１つ以上の固定のサブフレームと、ダウンリンクを指定する１つ以上の固定のサブフレームと、アップリンク又はダウンリンクのいずれかを指定するのに各々使用される１つ以上の柔軟なサブフレームとを含む、請求項１から３のいずれか１つに記載の方法。
【請求項５】
前記発生された情報は、アップリンク−ダウンリンク構成の変更がアップリンク−ダウンリンク構成持続性ウインドウの始めにしか生じないように、アップリンク−ダウンリンク構成持続性ウインドウに対して少なくとも１つの時間周期を割り当てることを含む、請求項１から４のいずれか１つに記載の方法。
【請求項６】
共通の物理的シグナリングを使用してアップリンク−ダウンリンク構成シグナリングを遂行することを更に含み、その共通の物理的シグナリングは、「無線ネットワーク一時的識別子（ＲＮＴＩ）」でスクランブルされた特定のダウンリンクコントロール情報（ＤＣＩ）フォーマットに基づく、請求項１に記載の方法。
【請求項７】
前記ダウンリンクコントロール情報（ＤＣＩ）のペイロードにおいて新たなアップリンク−ダウンリンク構成の指示を与えることを更に含む、請求項６に記載の方法。
【請求項８】
１つ以上のプロセッサと、コンピュータプログラムコードを含む１つ以上のメモリとを備えた装置において、１つ以上のメモリ及びコンピュータプログラムコードは、１つ以上のプロセッサとで、装置が、
（ａ）新たなアップリンク−ダウンリンク構成のためのアップリンク−ダウンリンク構成シグナリングを実行すべきシグナリング時間、及び（ｂ）新たなアップリンク−ダウンリンク構成を適用すべき適用時間、を表す情報を発生し；及び
その発生された情報をユーザ装置へ供給し、その発生された情報は、ユーザ装置に適用されるべき新たなアップリンク−ダウンリンク構成を指定するものである；
ようにさせるよう構成される装置。
【請求項９】
前記コンピュータプログラムコードは、更に、１つ以上のプロセッサとで、装置が、
アップリンク−ダウンリンク構成持続性ウインドウの出発点を表す第１のパラメータを使用して前記シグナリング時間を指定し、及び
前記アップリンク−ダウンリンク構成持続性ウインドウの期間を表す第２のパラメータを使用して前記適用時間を指定する、
ことを遂行するようにさせるよう構成された、請求項８に記載の装置。
【請求項１０】
前記コンピュータプログラムコードは、更に、１つ以上のプロセッサとで、装置が、
無線フレーム周期性を表す第１のパラメータ、及びサブフレームオフセットを表す第２のパラメータを使用して前記発生を遂行するようにさせるよう構成され、及び
前記コンピュータプログラムコードは、更に、１つ以上のプロセッサとで、装置が、
新たなアップリンク−ダウンリンク構成を示すために共通の物理的シグナリングが使用されるところのフレーム又はサブフレームに関して前記サブフレームオフセットを指定するようにさせるよう構成された、請求項８又は９のいずれか１つに記載の装置。
【請求項１１】
前記コンピュータプログラムコードは、更に、１つ以上のプロセッサとで、装置が、
アップリンクを指定する１つ以上の固定のサブフレーム、ダウンリンクを指定する１つ以上の固定のサブフレーム、及びアップリンク又はダウンリンクのいずれかを指定するのに各々使用される１つ以上の柔軟なサブフレームを使用することによって前記発生を遂行するようにさせるよう構成された、請求項８から１０のいずれか１つに記載の装置。
【請求項１２】
前記コンピュータプログラムコードは、更に、１つ以上のプロセッサとで、装置が、
アップリンク−ダウンリンク構成の変更がアップリンク−ダウンリンク構成持続性ウインドウの始めにしか生じないように、アップリンク−ダウンリンク構成持続性ウインドウに対して少なくとも１つの時間周期を割り当てることにより前記発生を遂行するようにさせるよう構成された、請求項８から１１のいずれか１つに記載の装置。
【請求項１３】
共通の物理的シグナリングは、アップリンク−ダウンリンク構成シグナリングを遂行するのに使用され、そしてその共通の物理的シグナリングは、無線ネットワーク一時的識別子（ＲＮＴＩ）でスクランブルされた特定のダウンリンクコントロール情報（ＤＣＩ）フォーマットに基づく、請求項８に記載の装置。
【請求項１４】
前記ダウンリンクコントロール情報（ＤＣＩ）のペイロードにおいて新たなアップリンク−ダウンリンク構成の指示が与えられる、請求項８に記載の装置。
【請求項１５】
コンピュータに使用するために埋め込まれたコンピュータプログラムコードを保持するコンピュータ読み取り可能なストレージ媒体を備えたコンピュータプログラム製品において、そのコンピュータプログラムコードは、
（ａ）新たなアップリンク−ダウンリンク構成のためのアップリンク−ダウンリンク構成シグナリングを実行すべきシグナリング時間、及び（ｂ）新たなアップリンク−ダウンリンク構成を適用すべき適用時間、を表す情報を発生し；及び
前記発生された情報をユーザ装置へ供給し、その発生された情報は、ユーザ装置に適用されるべき新たなアップリンク−ダウンリンク構成を指定するものである；
ようにさせるためのコードを含む、コンピュータプログラム製品。
【請求項１６】
アップリンク−ダウンリンク構成持続性ウインドウの出発点を表す第１のパラメータを使用して前記シグナリング時間を指定し、及び前記アップリンク−ダウンリンク構成持続性ウインドウの期間を表す第２のパラメータを使用して前記適用時間を指定するためのコードを更に含む、請求項１５に記載のコンピュータプログラム製品。
【請求項１７】
無線フレーム周期性を表す第１のパラメータと、サブフレームオフセットを表す第２のパラメータとを使用して前記発生を遂行するためのコードを更に含み、及び新たなアップリンク−ダウンリンク構成を示すために共通の物理的シグナリングが使用されるところのフレーム又はサブフレームに関して前記サブフレームオフセットを指定するためのコードを更に含む、請求項１５又は１６のいずれか１つに記載のコンピュータプログラム製品。
【請求項１８】
アップリンクを指定する１つ以上の固定のサブフレームと、ダウンリンクを指定する１つ以上の固定のサブフレームと、アップリンク又はダウンリンクのいずれかを指定するのに各々使用される１つ以上の柔軟なサブフレームとを使用することにより前記発生を遂行するためのコードを更に含む、請求項１５から１７のいずれか１つに記載のコンピュータプログラム製品。
【請求項１９】
アップリンク−ダウンリンク構成の変更がアップリンク−ダウンリンク構成持続性ウインドウの始めにしか生じないように、アップリンク−ダウンリンク構成持続性ウインドウに対して少なくとも１つの時間周期を割り当てることにより前記発生を遂行するためのコードを更に含む、請求項１５から１８のいずれか１つに記載のコンピュータプログラム製品。
【請求項２０】
共通の物理的シグナリングを使用してアップリンク−ダウンリンク構成シグナリングを遂行するためのコードを更に含み、その共通の物理的シグナリングは、無線ネットワーク一時的識別子（ＲＮＴＩ）でスクランブルされた特定のダウンリンクコントロール情報（ＤＣＩ）フォーマットに基づく、請求項１５に記載のコンピュータプログラム製品。
【請求項２１】
前記ダウンリンクコントロール情報（ＤＣＩ）のペイロードにおいて新たなアップリンク−ダウンリンク構成の指示を与えるためのコードを更に含む、請求項２０に記載のコンピュータプログラム製品。
【請求項２２】
新たなアップリンク−ダウンリンク構成のためのアップリンク−ダウンリンク構成シグナリングを実行すべきシグナリング時間を表す第１の情報をユーザ装置で受信し；及び
新たなアップリンク−ダウンリンク構成を適用すべき適用時間を表す第２の情報をユーザ装置で受信する；
ことを含み、前記発生された情報は、ユーザ装置に適用されるべき新たなアップリンク−ダウンリンク構成を指定するものである、方法。
【請求項２３】
アップリンク−ダウンリンク構成持続性ウインドウの出発点を表す第１のパラメータを使用して前記シグナリング時間を指定し、及び前記アップリンク−ダウンリンク構成持続性ウインドウの期間を表す第２のパラメータを使用して前記適用時間を指定する、ことを更に含む請求項２２に記載の方法。
【請求項２４】
前記受信された第１又は第２の情報は、無線フレーム周期性又は無線サブフレーム周期性を表す第１のパラメータと、サブフレームオフセットを表す第２のパラメータとを更に含み、前記サブフレームオフセットは、新たなアップリンク−ダウンリンク構成を示すために共通の物理的シグナリングが使用されるところのフレーム又はサブフレームに関して指定される、請求項２２又は２３に記載の方法。
【請求項２５】
前記受信された第１又は第２の情報は、アップリンクを指定する１つ以上の固定のサブフレームと、ダウンリンクを指定する１つ以上の固定のサブフレームと、アップリンク又はダウンリンクのいずれかを指定するのに各々使用される１つ以上の柔軟なサブフレームとを更に含む、請求項２２から２４のいずれか１つに記載の方法。
【請求項２６】
前記受信された第１又は第２の情報は、アップリンク−ダウンリンク構成の変更がアップリンク−ダウンリンク構成持続性ウインドウの始めにしか生じないようにアップリンク−ダウンリンク構成持続性ウインドウに対する少なくとも１つの割り当てられた時間周期を更に含む、請求項２２から２５のいずれか１つに記載の方法。
【請求項２７】
共通の物理的シグナリングを使用してアップリンク−ダウンリンク構成シグナリングを遂行することを更に含み、その共通の物理的シグナリングは、「無線ネットワーク一時的識別子（ＲＮＴＩ）」でスクランブルされた特定のダウンリンクコントロール情報（ＤＣＩ）フォーマットに基づく、請求項２２に記載の方法。
【請求項２８】
前記ダウンリンクコントロール情報（ＤＣＩ）のペイロードにおいて新たなアップリンク−ダウンリンク構成の指示を受け取ることを更に含む、請求項２７に記載の方法。
【請求項２９】
１つ以上のプロセッサと、コンピュータプログラムコードを含む１つ以上のメモリとを備えた装置において、１つ以上のメモリ及びコンピュータプログラムコードは、１つ以上のプロセッサとで、装置が、
新たなアップリンク−ダウンリンク構成のためのアップリンク−ダウンリンク構成シグナリングを実行すべきシグナリング時間を表す第１の情報をユーザ装置で受信し；及び
新たなアップリンク−ダウンリンク構成を適用すべき適用時間を表す第２の情報をユーザ装置で受信する；
ことを実行するようにさせるよう構成され、前記発生された情報は、ユーザ装置に適用されるべき新たなアップリンク−ダウンリンク構成を指定するものである、装置。
【請求項３０】
前記コンピュータプログラムコードは、更に、１つ以上のプロセッサとで、装置が、
アップリンク−ダウンリンク構成持続性ウインドウの出発点を表す第１のパラメータを使用して前記シグナリング時間を指定し、及び
前記アップリンク−ダウンリンク構成持続性ウインドウの期間を表す第２のパラメータを使用して前記適用時間を指定する、
ことを遂行するようにさせるよう構成された、請求項２９に記載の装置。
【請求項３１】
前記受信された第１又は第２の情報は、無線フレーム周期性又は無線サブフレーム周期性を表す第１のパラメータと、サブフレームオフセットを表す第２のパラメータとを更に含み、前記サブフレームオフセットは、新たなアップリンク−ダウンリンク構成を示すために共通の物理的シグナリングが使用されるところのフレーム又はサブフレームに関して指定される、請求項２９又は３０に記載の装置。
【請求項３２】
前記受信された第１又は第２の情報は、アップリンクを指定する１つ以上の固定のサブフレームと、ダウンリンクを指定する１つ以上の固定のサブフレームと、アップリンク又はダウンリンクのいずれかを指定するのに各々使用される１つ以上の柔軟なサブフレームとを更に含む、請求項２９から３１のいずれか１つに記載の装置。
【請求項３３】
前記受信された第１又は第２の情報は、アップリンク−ダウンリンク構成の変更がアップリンク−ダウンリンク構成持続性ウインドウの始めにしか生じないようにアップリンク−ダウンリンク構成持続性ウインドウに対する少なくとも１つの割り当てられた時間周期を更に含む、請求項２９から３２のいずれか１つに記載の装置。
【請求項３４】
共通の物理的シグナリングを使用してアップリンク−ダウンリンク構成シグナリングを遂行することを更に含み、その共通の物理的シグナリングは、「無線ネットワーク一時的識別子（ＲＮＴＩ）」でスクランブルされた特定のダウンリンクコントロール情報（ＤＣＩ）フォーマットに基づく、請求項２９に記載の装置。
【請求項３５】
前記ダウンリンクコントロール情報（ＤＣＩ）のペイロードにおいて新たなアップリンク−ダウンリンク構成の指示を受け取ることを更に含む、請求項３４に記載の装置。
【請求項３６】
コンピュータに使用するために埋め込まれたコンピュータプログラムコードを保持するコンピュータ読み取り可能なストレージ媒体を備えたコンピュータプログラム製品において、そのコンピュータプログラムコードは、
新たなアップリンク−ダウンリンク構成のためのアップリンク−ダウンリンク構成シグナリングを実行すべきシグナリング時間を表す第１の情報をユーザ装置で受信し；及び
新たなアップリンク−ダウンリンク構成を適用すべき適用時間を表す第２の情報をユーザ装置で受信する；
ためのコードを含み、前記発生された情報は、ユーザ装置に適用されるべき新たなアップリンク−ダウンリンク構成を指定するものである、コンピュータプログラム製品。
【請求項３７】
アップリンク−ダウンリンク構成持続性ウインドウの出発点を表す第１のパラメータを使用して前記シグナリング時間を指定し、及び前記アップリンク−ダウンリンク構成持続性ウインドウの期間を表す第２のパラメータを使用して前記適用時間を指定する、ためのコードを更に含む、請求項３６に記載のコンピュータプログラム製品。
【請求項３８】
前記受信された第１又は第２の情報は、無線フレーム周期性又は無線サブフレーム周期性を表す第１のパラメータと、サブフレームオフセットを表す第２のパラメータとを更に含み、前記サブフレームオフセットは、新たなアップリンク−ダウンリンク構成を示すために共通の物理的シグナリングが使用されるところのフレーム又はサブフレームに関して指定される、請求項３６又は３７のいずれか１つに記載のコンピュータプログラム製品。
【請求項３９】
前記受信された第１又は第２の情報は、アップリンクを指定する１つ以上の固定サブフレームと、ダウンリンクを指定する１つ以上の固定サブフレームと、アップリンク又はダウンリンクのいずれかを指定するのに各々使用される１つ以上の柔軟なサブフレームとを更に含む、請求項３６から３８のいずれか１つに記載のコンピュータプログラム製品。
【請求項４０】
前記受信された第１又は第２の情報は、アップリンク−ダウンリンク構成の変更がアップリンク−ダウンリンク構成持続性ウインドウの始めにしか生じないようにアップリンク−ダウンリンク構成持続性ウインドウに対する少なくとも１つの割り当てられた時間周期を更に含む、請求項３６から３９のいずれか１つに記載のコンピュータプログラム製品。
【請求項４１】
共通の物理的シグナリングを使用してアップリンク−ダウンリンク構成シグナリングを遂行するためのコードを更に含み、その共通の物理的シグナリングは、「無線ネットワーク一時的識別子（ＲＮＴＩ）」でスクランブルされた特定のダウンリンクコントロール情報（ＤＣＩ）フォーマットに基づく、請求項３６に記載のコンピュータプログラム製品。
【請求項４２】
前記ダウンリンクコントロール情報（ＤＣＩ）のペイロードにおいて新たなアップリンク−ダウンリンク構成の指示を受け取ることを更に含む、請求項４１に記載のコンピュータプログラム製品。
【発明の詳細な説明】
【技術分野】
【０００１】
関連出願の相互参照：本願は、２０１３年６月１９日に出願された米国プロビジョナル特許出願６１／８３６，８９８号の優先権を主張するもので、その開示は、参考としてここにそのまま援用される。
【０００２】
本発明の規範的な非限定実施形態は、一般的に、ワイヤレス通信方法及び装置に関するもので、より詳細には、ユーザ装置に動的なアップリンク−ダウンリンク再構成情報与えるための方法及び装置に関する。
【背景技術】
【０００３】
本章は、特許請求の範囲に記載された発明に対する背景又は状況を与えることを意図している。ここでの説明は、追求できるが必ずしもこれまでに想像又は追求されたものではない概念を含む。それ故、特に指示のない限り、本章での説明は、本出願の説明及び特許請求の範囲に対する従来技術でもないし、本章に含ませることで従来技術として認められるものでもない。
【０００４】
説明及び／又は図面に見られる幾つかの省略形は、次のように定義される。
・３ＧＰＰ      第３世代パートナーシッププロジェクト
・Ｃ−ＲＮＴＩ  セルＲＮＴＩ
・ＣＳＩ        チャンネル状態情報
・ＤＣＩ        ダウンリンク制御情報
・ＤＬ、Ｄ      ダウンリンク
・ＤＲＸ        不連続受信
・ＤＴＸ        不連続送信
・ＥＰＤＣＣＨ  エンハンスト物理的ダウンリンク制御チャンネル
・ｅＩＭＴＡ    エンハンスト干渉管理及びトラフィック適応
・ｅＮＢ        エンハンストノードＢ（ベースステーション）
・Ｆ            柔軟性
・ＦＤＤ        周波数分割デュープレックス
・ＨＡＲＱ      ハイブリッド自動リピート要求
・Ｌ１          レイヤワン
・ＬＴＥ        長期進化
・ＭＡＣ        媒体アクセス制御
・ＭＩＢ        マスター情報ブロック
・ＮＣＴ        新規キャリアタイプ
・ＮＳＮ        ノキアシーメンスネットワーク
・ＰＢＣＨ      物理的ブロードキャストチャンネル
・ＰＣＦＩＣＨ  物理的制御フォーマットインジケータチャンネル
・ＰＤＣＣＨ    物理的ダウンリンク制御チャンネル
・ＰＤＳＣＨ    物理的ダウンリンク共有チャンネル
・ＰＨＹ        物理的レイヤ
・ＰＵＣＣＨ    物理的アップリンク制御チャンネル
・ＰＵＳＣＨ    物理的アップリンク共有チャンネル
・ＲＡＮ        無線アクセスネットワーク
・Ｒｅｌ        リリース
・ＲＮＴＩ      無線ネットワーク一時的識別子
・ＲＲＣ        無線リソース制御
・Ｓ            特殊
・ＳＦＮ        システムフレーム番号
・ＳＩＢ−１    システム情報ブロック＃１
・ＴＤＤ        時分割デュープレックス
・ＴＤ−ＬＴＥ  時分割（ＴＤＤ）ＬＴＥ
・ＵＥ          ユーザ装置
・ＵＬ、Ｕ      アップリンク
・ＷＧ          ワーキンググループ
【０００５】
第３世代パートナーシッププロジェクト（３ＧＰＰ）長期進化（ＬＴＥ）規格のリリース１２は、ＬＴＥアドバンストシステムを取り扱っている。動的なアップリンク−ダウンリンク（ＵＬ−ＤＬ）再構成のための技術は、以下“ｅＩＭＴＡ”と称される「ＤＬ−ＵＬ干渉管理及びトラフィック適応のためのＬＴＥ  ＴＤＤへの更なる改善」と題する３ＧＰＰリリース１２ワークアイテムの範囲内に入る。
【発明の概要】
【発明が解決しようとする課題】
【０００６】
動的なＵＬ−ＤＬ再構成を遂行するための従来技術には欠点がある。例えば、ＵＥは、再構成を適用すべきときにＵＥが使用すると想定されるＵＬ−ＤＬ構成に関して信頼性の高い情報がない。更に、異なるシナリオに対して従来の解決策を最適化することが困難であるか又は実際的でない。例えば、ネットワークにより周期的に適用されるスイッチングが数十ミリ秒程度である典型的なシナリオにおいてシグナリングオーバーヘッドが最小ではない。従って、動的なＵＬ−ＤＬ再構成を遂行するためのより進歩した解決策が明らかに要望される。
【課題を解決するための手段】
【０００７】
本発明の規範的な実施形態の第１セットによれば、方法は、（ａ）新たなアップリンク−ダウンリンク構成のためのアップリンク−ダウンリンク構成シグナリングを実行すべきシグナリング時間、及び（ｂ）新たなアップリンク−ダウンリンク構成を適用すべき適用時間、を表す情報を発生し；及びその発生された情報をユーザ装置へ供給し、その発生された情報は、ユーザ装置に適用されるべき新たなアップリンク−ダウンリンク構成を指定するものである；ことを含む。この方法は、ＵＬ−ＤＬ構成情報の、より信頼性のある受信を与えることによりＵＬ−ＤＬ構成シグナリングを補足する。この指示は、従来の構成に比して小さなシグナリングオーバーヘッドで且つＵＥ側及びｅＮＢ側の両方において適度な複雑さで遂行される。
【０００８】
本発明の規範的な実施形態の第２セットによれば、装置は、１つ以上のプロセッサと、コンピュータプログラムコードを含む１つ以上のメモリとを備え、１つ以上のメモリ及びコンピュータプログラムコードは、１つ以上のプロセッサとで、装置が、（ａ）新たなアップリンク−ダウンリンク構成のためのアップリンク−ダウンリンク構成シグナリングを実行すべきシグナリング時間、及び（ｂ）新たなアップリンク−ダウンリンク構成を適用すべき適用時間、を表す情報を発生し；及びその発生された情報をユーザ装置へ供給し、その発生された情報は、ユーザ装置に適用されるべき新たなアップリンク−ダウンリンク構成を指定するものである；ようにさせるよう構成される。
【０００９】
本発明の規範的な実施形態の第３セットによれば、コンピュータプログラム製品は、コンピュータに使用するために埋め込まれたコンピュータプログラムコードを保持するコンピュータ読み取り可能なストレージ媒体を備え、そのコンピュータプログラムコードは、（ａ）新たなアップリンク−ダウンリンク構成のためのアップリンク−ダウンリンク構成シグナリングを実行すべきシグナリング時間、及び（ｂ）新たなアップリンク−ダウンリンク構成を適用すべき適用時間、を表す情報を発生し；及びその発生された情報をユーザ装置へ供給し、その発生された情報は、ユーザ装置に適用されるべき新たなアップリンク−ダウンリンク構成を指定するものである；ようにさせるためのコードを含む。
【００１０】
本発明の規範的な実施形態の第４セットによれば、方法は、新たなアップリンク−ダウンリンク構成のためのアップリンク−ダウンリンク構成シグナリングを実行すべきシグナリング時間を表す第１の情報をユーザ装置で受信し、及び新たなアップリンク−ダウンリンク構成を適用すべき適用時間を表す第２の情報をユーザ装置で受信することを含み、その発生された情報は、ユーザ装置に適用されるべき新たなアップリンク−ダウンリンク構成を指定するものである。
【００１１】
本発明の規範的な実施形態の第５セットによれば、装置は、１つ以上のプロセッサと、コンピュータプログラムコードを含む１つ以上のメモリとを備え、１つ以上のメモリ及びコンピュータプログラムコードは、１つ以上のプロセッサとで、装置が、新たなアップリンク−ダウンリンク構成のためのアップリンク−ダウンリンク構成シグナリングを実行すべきシグナリング時間を表す第１の情報をユーザ装置で受信し、及び新たなアップリンク−ダウンリンク構成を適用すべき適用時間を表す第２の情報をユーザ装置で受信することを実行するようにさせるよう構成され、その発生された情報は、ユーザ装置に適用されるべき新たなアップリンク−ダウンリンク構成を指定するものである。
【００１２】
本発明の規範的な実施形態の第６セットによれば、コンピュータプログラム製品は、コンピュータに使用するために埋め込まれたコンピュータプログラムコードを保持するコンピュータ読み取り可能なストレージ媒体を備え、そのコンピュータプログラムコードは、新たなアップリンク−ダウンリンク構成のためのアップリンク−ダウンリンク構成シグナリングを実行すべきシグナリング時間を表す第１の情報をユーザ装置で受信し、及び新たなアップリンク−ダウンリンク構成を適用すべき適用時間を表す第２の情報をユーザ装置で受信するためのコードを含み、その発生された情報は、ユーザ装置に適用されるべき新たなアップリンク−ダウンリンク構成を指定するものである。
【００１３】
本発明の更に別の態様、特徴及び効果は、本発明を実施するよう意図された最良の態様を含めて、多数の特定の実施形態及び実施例を示すだけで、以下の詳細な説明から容易に明らかとなろう。又、本発明は、他の及び異なる実施形態で構成することもでき、そしてその多数の細部は、本発明の精神及び範囲から逸脱せずに、種々の明らかな観点において変更することができる。従って、図面及び説明は、例示に過ぎず、これに限定されるものではない。
【図面の簡単な説明】
【００１４】
【図１】複数のサブフレームを含む規範的な無線フレームを示すデータ構造図である。
【図２】本発明の規範的実施形態のセットによりユーザ装置に適用すべきアップリンク−ダウンリンク構成を指定する情報をユーザ装置に与えるための方法と、コンピュータ読み取り可能なメモリに実施されるコンピュータプログラムインストラクションのセットを１つ以上のプロセッサで実行した結果と、を示すプロセスフロー図である。
【図３】本発明の規範的実施形態のセットにより時分割デュープレクスアップリンク−ダウンリンク構成シグナリングを遂行するのに使用される規範的データ構造図である。
【図４】本発明の規範的実施形態のセットによるワイヤレス通信ネットワークを示す図である。
【発明を実施するための形態】
【００１５】
“Further Enhancements to LTE TDD for DL-UL Interference Management and Traffic Adaptation”（以下、“ｅＩＭＴＡ”）と題する３ＧＰＰリリース１２ワークアイテムの１つの目標は、より柔軟性のある時分割デュープレクス（ＴＤＤ）ＵＬ−ＤＬ再構成を可能にすることである。この再構成の１つの目的は、例えば、小型セルの環境で使用されるトラフィック適応を与えることである。スタート点として、エンハンストノードＢ（ｅＮＢ）のＵＬ−ＤＬ構成は、ＵＬ−ＤＬ構成が時間と共に全く静止及び固定である既存の状態に比して、柔軟なＵＬ／ＤＬモードを遂行するように構成されたＵＥでは比較的頻繁に変化する。既定のセル特有のＵＬ−ＤＬ構成は、セルにおいてシステムインフォメーションブロック＃１（ＳＩＢ−１）を使用してブロードキャストされる。３ＧＰＰリリース８からリリース１１規格のいずれかにより動作するように構成されたレガシーユーザ装置（ＵＥ）は、この既定の構成に常時従う。
【００１６】
３ＧＰＰのリリース１２は、新規なＴＤＤ  ＵＬ−ＤＬ構成を導入するものではない。むしろ、柔軟な（フレックス）ＴＤＤ再構成は、３ＧＰＰ  ＴＳ３６．２１１、セクション４．２、バージョン８．９．０（リリース８）に記載された７つの既存の構成の間で行われる。ＴＤＤ再構成は、フレックス構成を実施するように構成されたＵＥに対し（せいぜい）無線フレーム周期で行うことができる。典型的に、無線フレーム周期は、１０ミリ秒程度であるが、そうである必要はない。付加的な又は別のＴＤＤ  ＵＬ−ＤＬ構成の導入も考えられる。そのような付加的な又は別の構成も、本発明の範囲内である。
【００１７】
図１は、規範的なＳＩＢ−１構成＃０及び柔軟な（フレックス）構成の各々に対し複数のサブフレーム０−９を含む例示的無線フレームを示すデータ構造図である。フレックス構成は、柔軟なＵＬ−ＤＬモードを実施するように構成されたリリース１２のＵＥに利用できるようにされる。各ＵＬ−ＤＬ構成において、リンク方向が常に予め決められる固定のサブフレームがある。これらの固定サブフレームは、ダウンリンク（Ｄ）、スペシャル（Ｓ）及びアップリンク（Ｕ）として表される。加えて、柔軟な（Ｆ）サブフレームがある。これらＦサブフレームは、Ｄサブフレーム又はＵサブフレームのいずれかとして使用される。与えられるＦサブフレームの数は、所与のシナリオの特有性に依存する（例えば、当該ＳＩＢ−１構成による）従って、図１のＳＩＢ−１構成されたＵＬ−ＤＬ構成は、無線フレームの所与のサブフレーム０−９がダウンリンクサブフレームであるか、スペシャルサブフレームであるか、又はアップリンクサブフレームであるか定義する。柔軟なＴＤＤ  ＵＬ−ＤＬ構成の場合には、アップリンクサブフレームの幾つかをダウンリンクサブフレームに変更することができる。更に、１つの実施形態では、第６のサブフレーム（スペシャルサブフレーム）は、ダウンリンクサブフレームのみに変更され、アップリンクサブフレームには変更されない。これは、図１の例において仮定されている。別のシナリオでは、第６のサブフレーム（スペシャルサブフレーム）は、固定サブフレーム（Ｓ）と考えられる。
【００１８】
図１のＵＬ−ＤＬ構成を指示するために使用される厳密なシグナリングメカニズムは、決定される予定である。しかしながら、無線アクセスネットワークワーキンググループ（ＲＡＮ  ＷＧ）＃７２ｂｉｓミーティングでは、多数の候補シグナリングメカニズムが議論されている。これらの候補メカニズムは、物理的レイヤ（ＰＨＹ）シグナリング（物理的ブロードキャストチャンネル／マスター情報ブロック（ＰＢＣＨ／ＭＩＢ）シグナリングを含まない）又は媒体アクセスコントロール（ＭＡＣ）シグナリングのいずれかによりＴＤＤ  ＵＬ−ＤＬ再構成を明示的又は暗示的に指示するシグナリングメカニズムを含む。しかしながら、ＰＢＣＨ／ＭＩＢベースのシグナリングは、ＰＨＹ又はＭＡＣシグナリングに関して信頼性の問題がある場合には、再訪問することができる。ここで使用する語「ＰＨＹシグナリング」は、ＵＥ特有又はＵＥ共通のシグナリングを包含し、且つ既存の又は新たに定義されるダウンリンクコントロール情報（ＤＣＩ）フォーマットを使用するものである。
【００１９】
候補シグナリングメカニズムの付加的な細部は、２０１３年５月の無線アクセスネットワークワーキンググループワン（ＲＡＮ  ＷＧ１）＃７３ミーティングにおいて議論されている。これらの細部は、ＵＥグループ共通のエンハンスト物理的ダウンリンクコントロールチャンネル（ＥＰＤＣＣＨ）又はＰＤＣＣＨによる再構成の明示的レイヤワン（Ｌ１）シグナリングを含んでいる。ここで使用する語「ＰＤＣＣＨ」は、ＥＰＤＣＣＨ又はＰＤＣＣＨの一方又は両方を指す。同様に、語「ＥＰＤＣＣＨ」は、ＰＤＣＣＨ又はＥＰＤＣＣＨの一方又は両方を指す。ＲＡＮ  ＷＧ１＃７３ミーティングにおいて、多数のアイテムが更なる調査又は分析を必要とすると示されている。それらのアイテムは、このシグナリングに使用されるべきサーチスペース、明示的解決策の信頼性及び頑健さを改善するのに使用できる予備解決策の公式化、及び必要なＵＬスケジューリング及びＨＡＲＱタイミングシグナリングを含んでいる。いずれの解決策も、付加的なブラインドデコードを回避するように試みなければならない。
【００２０】
ＵＬ−ＤＬ再構成について考えられるシグナリングメカニズムは、共通のＰＨＹシグナリング方法及び専用のＰＨＹシグナリング方法として分類される。共通のＰＨＹシグナリングは、Ｆｌｅｘ−ＴＤＤ−ＲＮＴＩのような新規な無線ネットワーク一時的識別子（ＲＮＴＩ）でスクランブルされる特定のＤＣＩをベースとするものである。ＴＤＤ  ＵＬ−ＤＬ構成の実際の指示がＤＣＩのペイロードに含まれている。この技術は、ＲＡＮ  ＷＧ１＃７３ミーティングで公式化された基線解決策である。
【００２１】
専用のＰＨＹシグナリングは、明示的であるが、そうでなくてもよい。明示的な専用ＰＨＹシグナリングによれば、後続の無線フレームにおいてＵＬ−ＤＬ構成を示すために、２又は３ビットの新規なビットフィールドがＵＬ及び／又はＤＬグラントに追加される。このシグナリングは、柔軟なサブフレームの間にＵＥブラインドデコーディング及びチャンネル状態情報（ＣＳＩ）測定を助成するのに使用される。対照的に、暗示的な専用シグナリングは、ｅＮＢスケジューリングベースの解決策に対応する暗示的な指示を使用する。即ち、スケジュール型物理的アップリンクコントロールチャンネル（ＰＵＣＣＨ）又は物理的アップリンク共有チャンネル（ＰＵＳＣＨ）送信のケースでは、ＵＥは、サブフレームがＵＬ送信に使用されると考え、さもなければ、ＵＥは、サブフレームがＤＬ送信に使用されると仮定して、ＥＰＤＣＣＨ／ＰＤＣＣＨの検出を試みる。ＲＡＮ  ＷＧ１＃７３ミーティングでなされた判断に基づき、専用のＰＨＹシグナリングは、共通のＰＨＹ解決策に対する補足的解決策と考えることができる。
【００２２】
専用のＰＨＹシグナリング及び共通のＰＨＹシグナリングを含めて、上述したシグナリングメカニズムは、全て、欠点がある。共通のシグナリングを動的なＵＬ−ＤＬ再構成に使用するときには、グループ共通のＰＤＣＣＨ又はＥＰＤＣＣＨにより明示的インジケータが周期的に送信される。この解決策の１つの欠点は、柔軟なＴＤＤモードに対して構成された全てのＵＥが共通のシグナリングをデコードして現在ＵＬ−ＤＬ構成を得る必要があることである。これは、ＵＥの電力消費及びＰＤＣＣＨ／ＥＰＤＣＣＨオーバーヘッドにある程度の影響を及ぼす。一方、ＵＥは、不連続受信（ＤＲＸ）モードにあり、周期的シグナリングをデコードすることができない。ＵＥは、ウェイクアップすると、ＳＩＢ−１定義のＵＬ−ＤＬ構成をたどる必要があり、そしてＵＥが特定のダウンリンクサブフレーム（例えば、サブフレーム０）において共通のＵＬ−ＤＬ構成の指示を検出できる限り、それを行うことができる。
【００２３】
共通のシグナリングにより達成できるエラー率は、厳密なシグナリングタイプに基づいて１０−３と１０−２との間で変化する。共通のシグナリングに関連したエラーのケースは、主として、ＰＤＣＣＨ／ＥＰＤＣＣＨの誤った検出により生じる。それに関連したエラーケースは、検出欠落及び偽警報である。これらのエラーケースに関連した主たる問題は、ＵＥが検出を欠落したかどうか、或いはＵＥが偽警報による誤った情報と仮定したかどうかをｅＮＢが決定する方法がないことである。
【００２４】
種々の問題は、いずれも、ＵＥが現在ＵＬ−ＤＬ構成を誤って又は不正確に理解したときに生じる。これらの問題は、ＤＬ及び／又はＵＬスループットロス、誤ったＣＳＩ測定及びレポート、並びにハイブリッド自動リピート要求（ＨＡＲＱ）／スケジューリングタイミングに関連した問題（選択されたシグナリングスキームに基づく）を含む。共通シグナリングでのエラーケースの時間スパンは、再構成周期に基づき、複数のサブフレーム、又は１つ以上の全無線フレームを含む。従って、ＵＬ−ＤＬ再構成シグナリングのエラー率は、シグナリングエラーの影響を最小にするために、１ｅ−５又は１ｅ−６のレベルに減少されねばならない。問題は、減少されたエラー率が、ＤＬ側、ＵＬ側、又は両側、のいずれかに著しいオーバーヘッドを招くことである。更に、共通のシグナリングに関連した１つの課題は、実際の事柄として、シグナリングの信頼性を改善することが非常に困難なことである。例えば、ＵＥ特有のリソースをアップリンクに設けて、ＵＬ−ＤＬ再構成が正しく受け取られたことを確認することが課題である。
【００２５】
動的なＵＬ−ＤＬ再構成について専用のシグナリングを使用するときには、ＵＥに送信されるＰＨＹシグナリングに明示的インジケータが含まれる。このインジケータは、あるＤＣＩフォーマットで常時存在する。専用のシグナリングにより達成できるエラー率は、１０-2程度である。専用のシグナリングの利点は、ｅＮＢがアップリンク信号（ＰＵＣＣＨ又はＰＵＳＣＨ）を使用して、ＵＬ−ＤＬ再構成ごとに別々に検出欠落を識別することである。これは、ｅＮＢでのＤＴＸ検出が１ｅ−２のエラー率で動作すると仮定して、ＵＬ−ＤＬ再構成シグナリングのエラー率を１０-4のレベルに減少できることを示す。専用のシグナリングに関連した制限の１つは、有効なＵＬ−ＤＬ構成情報を利用できないＵＥが存在することである。例えば、専用のＤＣＩにインジケータが含まれる場合には、現在構成が分かるのは、スケジュールされたＵＥだけである。
【００２６】
暗示的なシグナリングは、ＵＥがＥＰＤＣＣＨブラインドデコーディングによりリンク方向を暗示的に決定する専用シグナリングの特定の形態である。この解決策の利点は、オーバーヘッドが低いことであるが、主たる課題は、過剰なブラインドデコーディング、偽の肯定の問題、並びにＣＳＩ測定及びレポートに関連した課題に関連したものである。
【００２７】
幾つかの会社は、自身の３ＧＰＰ貢献において、メカニズムがＵＬ−ＤＬ構成シグナリングの信頼性を改善するための潜在的な必要性を識別している。ジョンシントンシュン・テレコミュニケーション・イクイップメント（ＺＴＥ）は、［Ｒ１−１３２１０９］において、暗示的シグナリングの頂部で補足的又はエンハンストファンクションとして明示的シグナリングを使用する可能性について述べている。テキサス・インスツルーメントは、［Ｒ１−１３１９４５］において、２つ以上の再構成信号を通知ウインドウ内に送信することにより共通シグナリングの信頼性を改善できることを指摘している。例えば、最小のＵＬ／ＤＬ再構成時間が２０ｍｓである場合には、再構成コマンドを搬送する同じＥＰＤＣＣＨを２０ミリ秒ウインドウ内で繰り返すことができる。ＺＴＥと同様に、エリクソンは、明示的シグナリング及び暗示的なシグナリングの両方を使用する可能性を考えている［Ｒ１−１３２０２５］。明示的シグナリングは、影響を受ける測定の数を減少するためにＣＳＩ測定のための有効サブフレームについてＵＥに通知するのに使用される。
【００２８】
前記プロトコルは、前記問題に対して充分な又は完全な解決策を与えるものではない。例えば、ＵＥは、再構成を適用すべきときにＵＬ−ＤＬ構成に関して信頼性のある充分な情報を有していないことがある。更に、これらの既存の解決策は、異なるシナリオに対して最適化することができない。例えば、ネットワークにより適用されるスイッチング周期が数十ミリ秒程度である典型的なシナリオでは、シグナリングオーバーヘッドが最小にされない。従って、更に進歩した解決策が明らかに必要とされる。
【００２９】
本発明の規範的実施形態のセットによれば、ＵＬ−ＤＬ再構成の共通ＰＨＹシグナリングを容易にするために上位層シグナリングプロトコルが提供される。より詳細には、その考え方は、いつどのように構成シグナリングを行うか及びいつ新規な構成を適用すべきかに関する支援情報をＵＥに与えることである。本発明の規範的な実施形態は、以下に述べる１つ以上の態様を含む。
【００３０】
図２は、ＵＥに適用すべきＵＬ−ＤＬ構成を指定する情報をＵＥに与えるための方法、及びコンピュータ読み取り可能なメモリに実施されるコンピュータプログラムインストラクションのセットを１つ以上のプロセッサで実行した結果を示すプロセスフロー図である。その情報は、（ａ）新たなＵＬ−ＤＬ構成のためのＵＬ−ＤＬ構成シグナリングを実行すべきシグナリング時間、及び（ｂ）新たなＵＬ−ＤＬ構成を適用すべき適用時間、を表す。この方法は、ＵＬ−ＤＬ構成情報の、より信頼性の高い受信を行うことでＵＬ−ＤＬ構成シグナリングを補足する。この指示は、従来のスキームに比して小さなシグナリングオーバーヘッドで、且つＵＥ側及びｅＮＢ側の両方において適度な複雑さで行われる。
【００３１】
図２の動作シーケンスは、ブロック２０１、２０３又は２０４のいずれかにおいて次のように始まる。
【００３２】
態様１−ブロック２０１：ＵＬ−ＤＬ構成持続性ウインドウに対して少なくとも１つの時間周期を割り当てる。新たなＵＬ−ＤＬ構成へのＵＬ−ＤＬ構成の変更は、ＵＬ−ＤＬ構成持続性ウインドウの始めに生じるだけであり、ＵＬ−ＤＬ構成持続性ウインドウ間の他の時間には生じない。動作シーケンスは、次いで、ブロック２０２へ進み、ＵＬ−ＤＬ構成持続性ウインドウの出発点を表す第１のシグナリングパラメータが送信される。ＵＬ−ＤＬ構成持続性ウインドウの期間を表す第２のシグナリングパラメータが送信される。従って、シグナリングは、２つの部分、即ちＵＬ−ＤＬ構成持続性ウインドウ出発点であるＸａ；及びＵＬ−ＤＬ構成持続性ウインドウの期間であるＸｂ；を含む。２つのパラメータＸａ及びＸｂの候補値は、Ｘａ＝無線フレーム又はサブフレームに関する周期及び／又はオフセット、例えば、｛１、２、３、・・・｝；及びＸｂ＝無線フレーム又はサブフレームに関するＵＬ−ＤＬ構成持続性ウインドウの期間、例えば、｛１、２、３、・・・｝を含む。
【００３３】
更に別の実施形態の１セットによれば、構成の期間は無限であり、即ちＵＬ−ＤＬ構成は、全く変化しない。この不変の構成は、（これに限定されないが）異なるＨＡＲＱタイミングでの動作のような新規なキャリア形式を促進するのに使用される。
【００３４】
ブロック２０２は、上位層シグナリングを使用して遂行される。第１及び第２のシグナリングパラメータがユーザ装置（ＵＥ）によって受け取られる。ＵＥは、ＵＬ−ＤＬ構成がＵＬ−ＤＬ構成持続性ウインドウの間に変化しないと仮定する。ＵＬ−ＤＬ構成の変化は、ＵＬ−ＤＬ構成持続性ウインドウの始めに生じることしか許されない。それとは別に又はそれに加えて、持続性ウインドウの期間及び／又は出発点は、予め決定され（例えば、仕様書において固定され）、この場合は、シグナリングが必要とされない。
【００３５】
態様２−ブロック２０３：無線フレームの周期性を表す第１のパラメータ、及び共通のＰＨＹシグナリングが使用される（又は使用できる）無線フレーム又はサブフレームに関してサブフレームオフセットを表す第２のパラメータを送信して、新たなＵＬ−ＤＬ構成を指示する。この新たなＵＬ−ＤＬ構成は、ＵＬ−ＤＬ再構成とみなされる。ブロック２０３は、共通のシグナリングが使用される状況に適用することができる。専用シグナリングの場合には、第１及び第２のパラメータが各メッセージ（例えば、ＤＬ指定及び／又はＵＬグラント）に含まれる。これらのパラメータは、Ｙａ（周期性）及びＹｂ（オフセット）としてあらわされる。新たなＵＬ−ＤＬ構成を指示するための共通シグナリングは、シグナリングの信頼性（即ち、繰り返し利得）を改善するためにＵＬ−ＤＬ構成持続性ウインドウ内で何回も送信され、周期性は予め決定でき、そしてこれらの場合には、シグナリングが要求されない。
【００３６】
態様３−ブロック２０４：新たなＵＬ−ＤＬ構成へのＵＬ−ＤＬ構成変化が生じるところの少なくとも１つの時間周期をＵＬ−ＤＬ再構成ウインドウについて割り当てる。ＵＬ−ＤＬ再構成のシグナリングが生じる瞬間は、上位層シグナリングを経て構成される。ＵＬ−ＤＬ再構成ウインドウは、ＵＬ−ＤＬ構成持続性ウインドウと同じ期間であるが、そうでなくてもよいことに注意されたい。ＵＥは、あるアドバンス通知と共に適用されるべき新たなＵＬ−ＤＬ構成に関する情報を受信するのが好ましい。ＵＬ−ＤＬ再構成ウインドウにおける位置（タイミング）は、予め決定されるが、そうでなくてもよい。例えば、再構成ウインドウは、ＵＬ−ＤＬ構成持続性ウインドウに対して予め決定されてもよい。予め決定された同じタイミングが使用されてもよいし、又は予め決定された固定の時間オフセットが使用されてもよい。
【００３７】
それとは別に又はそれに加えて、ＵＬ−ＤＬ再構成ウインドウにおける位置は、構成可能であるが、そうでなくてもよい。ブロック２０５を参照すれば、ＵＬ−ＤＬ再構成ウインドウの出発点を表すための第１のシグナリングパラメータが送信され、そしてＵＬ−ＤＬ再構成ウインドウの期間を表すための第２のシグナリングパラメータが送信される。従って、ＵＬ−ＤＬ再構成ウインドウの位置は、２つのパラメータ、即ちＵＬ−ＤＬ再構成ウインドウの考えられる出発点を特定するＺａ；及びＵＬ−ＤＬ再構成ウインドウの期間を特定するＺｂ；により構成可能となる。第１及び第２のシグナリングパラメータは、ＵＥにより受信される。
【００３８】
図２に概略が述べられた種々のステップは、メモリにおいて実施され且つプロセッサにより実行されるコンピュータプログラムコードの動作から生じる方法ステップ及び／又はオペレーション、及び／又は関連ファンクションを実行するように構成された複数の結合された論理回路要素と考えられる。
【００３９】
図３は、ＴＤＤ  ＵＬ再構成シグナリングのための規範的データ構造図である。第１のＵＬ−ＤＬ再構成ウインドウ３０３及び第２のＵＬ−ＤＬ再構成ウインドウ３０４の各々の間に、再構成シグナリングが送信されるとき所定の瞬間がある（Ｘで示す）。再構成シグナリングに基づき、ＵＥは、ＵＬ−ＤＬ再構成ウインドウに対応して各ＵＬ−ＤＬ構成持続性ウインドウに適用されるべきＵＬ−ＤＬ構成を受け取る。例えば、第１のＵＬ−ＤＬ構成持続性ウインドウ３０１は、第１のＵＬ−ＤＬ再構成ウインドウ３０３に対応し、そして第２のＵＬ−ＤＬ構成持続性ウインドウ３０２は、第２のＵＬ−ＤＬ再構成ウインドウ３０４に対応する。又、ＵＥは、いずれかの時間Ｘにおいて複数のＵＬ−ＤＬ再構成メッセージを受信しそしてそれら再構成メッセージを例示的に合成することにより、ＵＬ−ＤＬ構成決定の信頼性を改善することができる。
【００４０】
任意であるが、再構成ウインドウに関連したパラメータは、１つ以上の隣接セルと共有される。多くの場合に、ＵＬ−ＤＬ構成持続性ウインドウ３０１、３０２の各々を、１つ以上の隣接セルの１つ以上の構成持続性ウインドウと整列させることが有意義である。これは、クロスリンク干渉を受けるサブフレームの数を最小にする。このため、パラメータＸａ及びＸｂは、隣接セルと共有される。Ｘ２インターフェイス／シグナリングは、この情報の搬送に使用されるが、そうでなくてもよい。
【００４１】
本発明の更に別の実施形態のセットによれば、付加的なＵＬ−ＤＬ再構成情報は、必要に応じて送信される。例えば、ｅＮＢは、ＵＬ−ＤＬ構成を搬送するのに使用される共通シグナリング（共通ＤＣＩのような）によるオーバーヘッドを最小にしたいことがある。生じるオーバーヘッドは、パラメータＹａで制御することができる。同様に、ｅＮＢは、付加的な（特別な）インジケータ又は情報を送信する。これらのインジケータは、ＵＬ−ＤＬ再構成ウインドウの始めに、又はあるＵＥが不連続送信（ＤＴＸ）モードからウェイクアップする状態で送信されるが、そうでなくてもよい。ｅＮＢは、付加的な共通インジケータを送信するためにＰＤＣＣＨ／ＥＰＤＣＣＨ共通サーチスペースを使用する。又、特別のＵＬ−ＤＬ再構成インジケータに対しＰＤＣＣＨ／ＥＰＤＣＣＨ  ＵＥ特有サーチスペースを使用することもできる。この場合、インジケータを受信できるのは、幾つかのＵＥだけである。それに加えて又はそれとは別に、ｅＮＢは、専用のシグナリングを使用して付加的なインジケータを送信してもよい。例えば、そのような目的で、ＵＬグラント又はＤＬ指定を使用することができる。
【００４２】
１つ以上のＵＥが現在ＵＬ−ＤＬ構成を誤って理解したとｅＮＢが疑う状況では、ｅＮＢは、固定サブフレームのみを利用して、それらのＵＥがスケジューリング情報を適切に受信したこと（ｅＮＢ動作）を確認する。ＵＥが有効なＵＬ−ＤＬ構成情報を入手していない場合には、ＵＥは、暗示的なシグナリングに基づいて動作する。この場合、ＵＥは、有効なＵＬ−ＤＬ構成が受け取られるまで全ての考えられるＤＬサブフレームからのＰＤＣＣＨ／ＥＰＤＣＣＨブラインド検出を遂行する。同様に、無効のＵＬ−ＤＬ構成による特定の動作がチャンネル状態情報（ＣＳＩ）レポートに対して適用される。
【００４３】
本発明の更に別の実施形態の別のセットによれば、例えば、偽の肯定検出のためにＵＬ−ＤＬ再構成ウインドウの間に複数の相互に衝突するＵＬ−ＤＬ構成をＵＥが得た場合の既定ルールを公式化することにより、改善されたエラーケース取り扱いが与えられる。そのような例は、最大数の発生を有するＵＬ−ＤＬ再構成を仮定することを含む（例えば、ＵＥが構成５を２回そして構成０を１回受け取った場合に、構成５が有効な構成であると仮定する）。これをエラーケースと考える。ＵＬ−ＤＬ構成を利用できないケースについて定義されたルールに従って動作を行う。
【００４４】
本発明の更に別の実施形態の別のセットによれば、ＤＣＩにおけるビット又はコードポイントの幾つかを所定値にセットすることによりＣＲＣ長さが１６ビットから実質上増加するように共通ＤＣＩが設計される。これは、偽の肯定検出のおそれを減少する。
【００４５】
本発明の更に別の実施形態の別のセットによれば、現在及び次の両ＵＬ−ＤＬ構成を含むように共通ＤＣＩを設計することにより欠落構成シグナリングからの改善された回復が与えられる。次のＵＬ−ＤＬ構成がまだ定義されないときは、無効ＵＬ−ＤＬ構成フィールド又は付加的なコードポイントを使用することができる。例えば、７つのＵＬ−ＤＬ構成の１つを指示するために３ビットが必要であるから、今度のＵＬ−ＤＬ構成が何であるかｅＮＢがまだ判断していないことを示すのに利用できる１つの冗長なコードポイントがある。このシグナリングは、ＵＬ−ＤＬ構成ウインドウを実現するための付加的な又は別の補足的技術である。このシグナリングは、例えば、構成パラメータ［Ｘａ、Ｘｂ、Ｙａ、Ｙｂ、Ｚａ、Ｚｂ］を適切にセットすることで実現される。
【００４６】
更に別の実施形態の別のセットによれば、再構成ウインドウは全く構成されない。むしろ、ＵＬ−ＤＬ構成持続性ウインドウだけが構成され、そして共通のＤＣＩは、現在及び次の両ＵＬ−ＤＬ構成（又は次のＵＬ−ＤＬ構成がｅＮＢによりまだ定義されないことを示す無効フィールド）を常に含む。これは、次のＵＬ−ＤＬ構成を判断することがｅＮＢに要求されるときの実施上の問題である。本発明の付加的な実施形態のあるセットでは、ｅＮＢが次のＵＬ−ＤＬ構成についていつ判断すべきかに関して、ｅＮＢに対して設定された幾つかの要件がある。
【００４７】
本発明の更に別の実施形態の別のセットによれば、ｅＮＢは、現在のＵＬ−ＤＬ構成をシグナリングせずに今度のＵＬ−ＤＬ構成のみをシグナリングする。
【００４８】
本発明の更に別の実施形態の別のセットによれば、１つ以上の特別な構成オプションが提供される。例えば、３セットのパラメータ［Ｘａ、Ｘｂ、Ｙａ、Ｙｂ、Ｚａ、Ｚｂ］を使用することは、種々の特定の構成オプションを許す。そのような構成の例を以下に述べる。
【００４９】
Ｘａ＝Ｚａ及びＸｂ＝Ｚｂとセットすることは、ＵＬ−ＤＬ構成持続性ウインドウ及びＵＬ−ＤＬ再構成ウインドウが重畳することを意味する。
【００５０】
Ｘｂを無限大に等しくセットすることは、新たなキャリアタイプシナリオに対応する（柔軟なＵＬ／ＤＬトラフィック適応は使用されない）。
【００５１】
Ｘｂ＝Ｚａを無限大に等しくセットすることは、新たなキャリアタイプシナリオに対応する（柔軟なＵＬ／ＤＬトラフィック適応は使用されない）。
【００５２】
Ｘａ＝Ｚａ＋Ｘｂとセットすることは、ＵＬ−ＤＬ構成持続性ウインドウ及びＵＬ−ＤＬ再構成ウインドウが完全に非重畳であることを意味する（Ｚｂ＝Ｘｂと仮定すれば）。
【００５３】
１セットの典型的なシナリオでは、Ｚｂ＝Ｘｂである。これらのシナリオでは、Ｚｂ及びＸｂに対して単一の構成パラメータを得れば充分である。
【００５４】
本発明の更に別の実施形態の別のセットによれば、１つ以上のパラメータを送信するのに上位層シグナリングが使用される。上述したように、Ｘａ、Ｘｂ（ＵＬ−ＤＬ構成持続性ウインドウ）、Ｙａ、Ｙｂ（シグナリングチャンネル）、及びＺａ、Ｚｂ（ＵＬ−ＤＬ再構成ウインドウ）の構成は、例えば、無線リソース構成（ＲＲＣ）シグナリングのような上位層シグナリングを経て行うことができる。又、例えば、そのような情報を搬送するための既定のシステム情報ブロックのようなブロードキャストコントロールチャンネル（ＢＣＣＨ）を使用することも可能である。更に、幾つかのパラメータは、固定されてもよいし、又は互いに依存するものでもよい。
【００５５】
説明上、１つ以上のネットワークノード又はｅＮＢは、論理演算によりタイミング関連パラメータを決定する。例えば、ウインドウの出発位置（例えば、Ｘａ）を示すシステムフレーム番号（ＳＦＮ）は、次の論理演算が真の場合、即ち（ｍｏｄ(ＳＦＮ、Ｘａ)＝０）の場合に、得られる。Ｙａ及びＺａも同様に導出することができる。或いは又、出発位置及び周期性について考えられるオプションは、例えば、周期的ＣＳＩレポート構成シグナリング（例えば、ＴＳ３６．２１３のテーブル７．２．２−１Ａ）と同様に作表されてもよい。この場合、３つの観点（Ｘ、Ｙ、Ｚ）各々のタイミングについて１つの構成パラメータを得るだけで充分である。
【００５６】
ここに述べる本発明の種々の実施形態は、共通のＵＬ−ＤＬ再構成シグナリングの信頼性を改善するのに使用される。今度の構成は、実際の変更が行われる前にシグナリングされる。任意であるが、今度の構成がまだ決定されていないことを表すシグナリングが与えられてもよい。又、構成の使用中に、現在の構成をシグナリングすることもできる。現在の構成に対するシグナリングを欠落した場合にＵＥが次の周期を待機する必要がないので回復は迅速である。ここに述べる技術は、動的なＵＬ−ＤＬ再構成に利用できる全てのシグナリングオプションと組み合わせて使用することができる。ｅＮＢは、信頼性とオーバーヘッドとの間をトレードオフするように完全に制御することができる。又、シグナリングは、隣接セル間の整合も取り扱う。シグナリングは、数十ミリ秒程度の再構成周期を有する最も一般的なシナリオについて最適化されるが、短い周期及び長い周期も効率的にカバーする融通性も有する。
【００５７】
図４は、本発明の１つ以上の実施形態により構成され、ユーザ装置（ＵＥ）２００として適当に実施されるユーザ装置を詳細に示す。ユーザ装置２００は、データプロセッサ（ＤＰ）２０４、メモリ（ＭＥＭ）２０６を備え、データ２０８及び１つ以上のプログラム２１０の形態のソフトウェアがメモリ２０６に存在する。ユーザ装置２００は、更に、アンテナアッセンブリ２１４を使用してデータを送信及び受信するデュアル受信／送信アッセンブリ２１２を備えている。アンテナアッセンブリは、指定の周波数帯域をカバーするように同調されるアンテナ２１６を備えている。アンテナアッセンブリ２１４の周波数範囲は、アクティブなチューナ２１８を使用することで切り換えられ、チューナ２１８は、データプロセッサ２２２の制御のもとでスイッチングアッセンブリ２２０によりアンテナ２１６に接続されたり切断されたりする。専用のデータプロセッサ２２２が示されているが、スイッチングアッセンブリ２２０の制御は、プロセッサ２０４又は他の適当なプロセッサにより行われてもよい。
【００５８】
図４は、更に、ｅＮｏｄｅＢ（ｅＮＢ）２５０として適当に実施されるベースステーションも示している。それとは別に又はそれに加えて、ベースステーションは、セルラーベースステーション、リレーステーション、リモート無線ヘッド、又は他の形式のネットワークノードであって、ワイヤレス通信能力を伴うと共に、アクセスポートとして働いて、前記形式のＵＥ２００が特定形式の無線アクセス技術のワイヤレスネットワークへのアクセスを得ることができるようにするネットワークノードを含む。ｅＮＢ２５０は、データプロセッサ（ＤＰ）２５２、及びメモリ２５４を備え、メモリは、データ２５６と、１つ以上のプログラム（ＰＲＯＧ）２５８の形態のソフトウェアとを記憶する。ｅＮＢ２５０は、更に、アンテナ２６４を使用してＵＥ２００のような１つ以上の装置と通信するための送信器２６０及び受信器２６２も備えている。
【００５９】
ＵＥ２００のＰＲＯＧ２１０の少なくとも１つは、上述した本発明の規範的な実施形態によれば、関連ＤＰ２０２によって実行されたときに装置を動作できるようにするプログラムインストラクションのセットを含むようにアッセンブルされる。この点に関して、本発明の規範的実施形態は、ＵＥ２００のＤＰ２０２で実行できるＭＥＭ２０６に記憶されたコンピュータソフトウェアにより、又はハードウェアにより、或いは有形の記憶されたソフトウェア及びハードウェア（及び有形の記憶されたファームウェア）により、少なくとも一部分、実施される。
【００６０】
同様に、ｅＮＢ２５０のＰＲＯＧ２５８の少なくとも１つは、上述した本発明の規範的な実施形態によれば、関連ＤＰ２５２によって実行されたときに装置を動作できるようにするプログラムインストラクションのセットを含むようにアッセンブルされる。この点に関して、本発明の規範的実施形態は、ｅＮＢ２５０のＤＰ２５２で実行できるＭＥＭ２５４に記憶されたコンピュータソフトウェアにより、又はハードウェアにより、或いは有形の記憶されたソフトウェア及びハードウェア（及び有形の記憶されたファームウェア）により、少なくとも一部分、実施される。本発明のこれらの観点を具現化する電子装置は、図２に示す全装置である必要もないし、或いは上述した有形の記憶されたソフトウェア、ハードウェア、ファームウェア及びＤＰと同じ１つ以上のコンポーネント、又はシステムオンチップＳＯＣ、又は特定用途向け集積回路ＡＳＩＣでもよい。
【００６１】
一般的に、ＵＥ２００の種々の実施形態は、ワイヤレス通信能力をもつパーソナルポータブルデジタル装置を含むが、これに限定されず、又、これら装置は、セルラー電話、ナビゲーション装置、ラップトップ／パルムトップ／タブレットコンピュータ、デジタルカメラ及びミュージック装置、並びにインターネット機器を含むが、これに限定されない。
【００６２】
コンピュータ読み取り可能なＭＥＭ２０６及びＭＥＭ２５４の種々の実施形態は、ローカルな技術環境に適したデータストレージ技術を包含し、これは、半導体ベースのメモリ装置、磁気メモリ装置及びシステム、光学的メモリ装置及びシステム、固定メモリ、除去可能なメモリ、ディスクメモリ、フラッシュメモリ、ＤＲＡＭ、ＳＲＡＭ、ＥＥＰＲＯＭ、等を含むが、これに限定されない。ＤＰ２０２及びＤＰ２５２の実施形態は、汎用コンピュータ、特殊目的コンピュータ、マイクロプロセッサ、デジタル信号プロセッサ（ＤＳＰ）、及びマルチコアプロセッサを含むが、これに限定されない。
【００６３】
「コード」という語は、ここでは、ＭＥＭ２０６又はＭＥＭ２５４の少なくとも１つに記憶される実行可能なインストラクション、オペランドデータ、構成パラメータ、又は他の情報の１つ以上を表わすのに使用される。このコードは、ここに述べる本発明の規範的な実施形態によれば、関連ＤＰ２０４又は２５２により実行されたときにＵＥ２００又はｅＮＢ２５０の少なくとも一方を動作できるようにするプログラムインストラクションを含む。即ち、本発明の規範的な実施形態は、電子装置のプロセッサで実行可能なコンピュータソフトウェアにより、又はハードウェアにより、又はソフトウェアとハードウェアとファームウェアの組み合わせにより、少なくとも一部分、実施される。
【００６４】
一般的に、種々の規範的実施形態は、ハードウェア又は特殊目的回路、ソフトウェア、ロジック又はその組み合わせで実施される。例えば、ある観点は、ハードウェアで具現化される一方、他の観点は、コントローラ、マイクロプロセッサ又は他のコンピューティング装置で実行される実施ファームウェア又はソフトウェアで具現化されるが、本発明は、それに限定されない。本発明の規範的実施形態の種々の観点は、ブロック図、フローチャート、又は他の絵画的表現を使用して、図示し及び説明するが、ここに述べるこれらのブロック、装置、システム、技術又は方法は、非限定例として、ハードウェア、実施ソフトウェア及び／又はファームウェア、特殊目的回路又はロジック、汎用ハードウェア又はコントローラ又は他のコンピューティング装置、或いはその何らかの組み合わせで具現化され、汎用要素は、実行可能な実施ソフトウェアにより特殊目的とされることが良く理解されよう。
【００６５】
従って、本発明の規範的な実施形態の少なくとも幾つかの観点は、集積回路チップ及びモジュールのような種々のコンポーネントで実施され、且つ本発明の規範的実施形態は、集積回路として実施される装置において実現されることが明らかであろう。集積回路又は回路は、本発明の規範的な実施形態により動作するように構成可能なデータプロセッサ、デジタル信号プロセッサ、基本帯域回路及び高周波回路の少なくとも１つ以上を実施するための回路（及び考えられるファームウェア）を含む。
【００６６】
ＵＭＴＳ、ＬＴＥ又はＧＰＲＳ電子装置に関連して規範的実施形態を以上に述べたが、本発明の規範的実施形態は、それら特定形式のワイヤレス通信システムのみに使用することに限定されないことが明らかである。更に、本発明の種々の非限定及び規範的実施形態の幾つかの特徴は、他の特徴を対応的に使用せずに、好都合に使用することができる。従って、以上の説明は、本発明の原理、教示及び規範的実施形態の単なる例示に過ぎず、それに限定されるものではない。
【００６７】
上述した種々の実施形態は、ソフトウェア、ハードウェア、アプリケーションロジック、又はそれらの組み合わせで実施される。ソフトウェア、アプリケーションロジック及び／又はハードウェアは、少なくとも１つのメモリ、少なくとも１つのプロセッサ、装置、又はコンピュータプログラム製品に存在する。規範的実施形態では、アプリケーションロジック、ソフトウェア又はインストラクションセットは、種々の従来のコンピュータ読み取り可能な媒体のいずれか１つに維持される。本書の文脈において、「コンピュータ読み取り可能な媒体」は、コンピュータのようなインストラクション実行システム、装置又はデバイスにより又はそれに関連して使用するためのインストラクションを収容し、記憶し、通信し、伝播し又は搬送することのできる媒体又は手段であり、図４に示して説明した装置がその一例である。コンピュータ読み取り可能な媒体は、コンピュータのようなインストラクション実行システム、装置又はデバイスにより又はそれに関連して使用するためのインストラクションを収容し又は記憶することのできる任意の媒体又は手段であるコンピュータ読み取り可能なストレージ媒体を含む。
【００６８】
必要に応じて、ここに述べる異なる機能は、異なる順序で実行されてもよいし、及び／又は他と同時に実行されてもよい。更に、必要に応じて、前記機能の１つ以上は、任意なものでもよいし、又は組み合わされてもよい。
【００６９】
実施形態の種々の観点は、独立請求項に記載されるが、他の観点は、ここに述べる実施形態及び／又は従属請求項からの特徴と独立請求項の特徴との他の組み合わせも含み、請求項に明示的に記載された組み合わせだけではない。
【００７０】
又、規範的な実施形態を上述したが、それらの説明は、それに限定されるものではないことに注意されたい。むしろ、特許請求の範囲に規定される本発明の範囲から逸脱せずに多数の変更や修正がなされ得る。
【符号の説明】
【００７１】
２００：ユーザ装置（ＵＥ）
２０４：データプロセッサ（ＤＰ）
２０６：メモリ（ＭＥＭ）
２０８：データ
２１０：プログラム
２１２：デュアル受信／送信アッセンブリ
２１４：アンテナアッセンブリ
２１６：アンテナ
２１８：チューナ
２２０：スイッチングアッセンブリ
２２２：データプロセッサ
２５０：ｅＮＢ
２５２：データプロセッサ（ＤＰ）
２５４：メモリ（ＭＥＭ）
２５６：データ
２５８：プログラム（ＰＲＯＧ）
２６０：送信器
２６２：受信器
２６４：アンテナ
【図１】
2018121370.tif 000003
【図２】
2018121370.tif 000004
【図３】
2018121370.tif 000005
【図４】
2018121370.tif 000006
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
（ａ）新たなアップリンク−ダウンリンク構成のためのアップリンク−ダウンリンク構成シグナリングを実行すべきシグナリング時間、及び（ｂ）新たなアップリンク−ダウンリンク構成を適用すべき適用時間、を表す情報を発生し；及び
その発生された情報をユーザ装置へ供給し、その発生された情報は、ユーザ装置に適用されるべき新たなアップリンク−ダウンリンク構成を指定するものである；
ことを含む方法。